(57)【特許請求の範囲】
【請求項１】
少なくとも１つのデータボックスを有し、受信データを該データボックスに振り分けて格納する機能を有する通信端末装置において、
前記データボックスに対応して、所定の処理およびその起動条件を設定した指示書を登録する指示書登録手段と、
前記指示書登録手段により登録された指示書に基づき、該指示書が登録されたデータボックスに格納されたデータに対して該指示書に設定された処理を該指示書に設定された起動条件で行う制御手段と、
前記データボックスに対するアクセスまたは該データボックスに格納されたデータの処理ステータスの履歴を記憶する記憶手段と、
前記記憶手段に記憶された前記データボックスに対するアクセスまたは該データボックスに格納されたデータの処理ステータスの履歴に基づき前記データボックスに対するアクセスまたは該データボックスに格納されたデータの処理結果の通知処理を前記指示書の設定にしたがって行う通知手段と、
前記データボックスに対するアクセスまたは該データボックスに格納されたデータの処理ステータスの履歴を記憶するか否かを前記指示書に設定する設定手段と、
前記設定手段により前記データボックスに対するアクセスまたは該データボックスに格納されたデータの処理ステータスの履歴を記憶しないと設定されている場合は、前記記憶手段に該データボックスに対するアクセスまたは該データボックスに格納されたデータの処理ステータスの履歴の記憶を禁止する禁止手段と
を具備することを特徴とする通信端末装置。
【請求項２】
前記指示書に設定される所定の処理は、
該指示書が登録されたデータボックスに格納されたデータを該指示書に設定されたファクシミリ番号に対してファクシミリ転送する処理、
該指示書が登録されたデータボックスに格納されたデータを該指示書に設定されたメールアドレスに対してメール転送する処理、
該指示書が登録されたデータボックスに格納されたデータを印刷出力する処理
のいずれかを含むことを特徴とする請求項１記載の通信端末装置。
【請求項３】
前記指示書に設定される起動条件は、
該指示書が登録されたデータボックスにデータが格納された際に前記所定の処理を即起動する第１の条件、
該指示書が登録されたデータボックスにデータが格納されてから該指示書に設定された一定時間経過後に前記所定の処理を起動する第２の条件、
該指示書が登録されたデータボックスにデータが格納されてから該指示書に設定された所定の時刻になったときに前記所定の処理を起動する第３の条件、
該指示書が登録されたデータボックスにデータが格納されてから該指示書に設定された所定の時間帯になったときに前記所定の処理を起動する第４の条件、
該指示書が登録されたデータボックスにデータが格納されてから前記所定の処理を起動しない第５の条件
のいずれかを含むことを特徴とする請求項１または２記載の通信端末装置。
【請求項４】
前記通知手段は、
前記データボックスに対するアクセスまたは該データボックスに格納されたデータの処理結果を受信者のファクシミリ番号に対してファクシミリ通知する処理、
前記データボックスに対するアクセスまたは該データボックスに格納されたデータの処理結果を受信者のメールアドレスに対してファクシミリ通知する処理、
前記データボックスに対するアクセスまたは該データボックスに格納されたデータの処理結果をステータスレポートとして印刷出力する処理、
前記データボックスに対するアクセスまたは該データボックスに格納されたデータの処理結果を該データの送信者に対して返信する処理
のいずれかを含むことを特徴とする請求項１乃至３のいずれかに記載の通信端末装置。
【発明の詳細な説明】
【０００１】
【発明の属する技術分野】
この発明は、通信機能を有する通信端末装置に関する。
【０００２】
【従来の技術】
従来、ファクシミリ装置として、親展通信機能を備えたものが提供されている。
【０００３】
このようなファクシミリ装置においては、画像メモリに、親展通信で受信された受信画像データを格納するための領域として、複数の親展ボックスが番号を割り付けられた状態で設けられている。そして、相手先のファクシミリ装置から親展用の画像データが送信されてきたとき、この画像データは、画像メモリの所定番号の親展ボックスに格納され、その後、受信側で親展ボックス番号の指定およびパスワードの入力に基づいて、指定された番号の親展ボックスに格納されている画像データを閲覧できるようになっている。
【０００４】
また、ファクシミリ装置をＬＡＮに接続してＬＡＮ上に接続された端末とのデータ通信を可能とした場合、当該ファクシミリ装置が受信した画像データを受け取る相手に対する着信通知制御を、メールやレポート排出により行うことができる。
【０００５】
【発明が解決しようとする課題】
しかしながら、親展通信機能を備えた従来のファクシミリ装置においては、ユーザは、当該ファクシミリ装置からのメールやレポート排出による着信通知によって親展ボックスに画像データが格納されたことを知ることはできるが、その画像データに対する処理（プリント出力、ファックス／メール転送等）は、その都度指示する必要があった。
【０００６】
また、画像データを受信したファクシミリ装置は、受信側に対する着信通知は行うが、送信側に対する着信通知は行なわないため、受信した画像データが取り出されたかどうかを送信側で知ることができず、急ぎの連絡の場合には、結局他の手段を用いて受信を確認しなくてはならない。
【０００７】
そこで、この発明は、親展ボックスに入った画像データを処理する方法を予め登録しておき、親展ボックスに画像データが格納された際に自動的にそれを実行することで、ユーザがその都度受信画像データに対する処理を指示しなければならないという煩わしさを解消することを目的とする。
【０００８】
また、この発明は、親展ボックスに格納された画像データのステータスを管理し、かつ、このステータスを送信側に通知する手段を持つことで、画像データが受信側で取り出されたか否かを送信側で知ることができるようにすることを目的とする。
【０００９】
【課題を解決するための手段】
上述した目的を達成するため、請求項１の発明は、少なくとも１つのデータボックスを有し、受信データを該データボックスに振り分けて格納する機能を有する通信端末装置において、前記データボックスに対応して、所定の処理およびその起動条件を設定した指示書を登録する指示書登録手段と、前記指示書登録手段により登録された指示書に基づき、該指示書が登録されたデータボックスに格納されたデータに対して該指示書に設定された処理を該指示書に設定された起動条件で行う制御手段と、前記データボックスに対するアクセスまたは該データボックスに格納されたデータの処理ステータスの履歴を記憶する記憶手段と、前記記憶手段に記憶された前記データボックスに対するアクセスまたは該データボックスに格納されたデータの処理ステータスの履歴に基づき前記データボックスに対するアクセスまたは該データボックスに格納されたデータの処理結果の通知処理を前記指示書の設定にしたがって行う通知手段と、前記データボックスに対するアクセスまたは該データボックスに格納されたデータの処理ステータスの履歴を記憶するか否かを前記指示書に設定する設定手段と、前記設定手段により前記データボックスに対するアクセスまたは該データボックスに格納されたデータの処理ステータスの履歴を記憶しないと設定されている場合は、前記記憶手段に該データボックスに対するアクセスまたは該データボックスに格納されたデータの処理ステータスの履歴の記憶を禁止する禁止手段とを具備することを特徴とする。
【００１０】
また、請求項２の発明は、請求項１の発明において、前記指示書に設定される所定の処理は、該指示書が登録されたデータボックスに格納されたデータを該指示書に設定されたファクシミリ番号に対してファクシミリ転送する処理、該指示書が登録されたデータボックスに格納されたデータを該指示書に設定されたメールアドレスに対してメール転送する処理、該指示書が登録されたデータボックスに格納されたデータを印刷出力する処理のいずれかを含むことを特徴とする。
【００１１】
また、請求項３の発明は、請求項１または２の発明において、前記指示書に設定される起動条件は、該指示書が登録されたデータボックスにデータが格納された際に前記所定の処理を即起動する第１の条件、該指示書が登録されたデータボックスにデータが格納されてから該指示書に設定された一定時間経過後に前記所定の処理を起動する第２の条件、該指示書が登録されたデータボックスにデータが格納されてから該指示書に設定された所定の時刻になったときに前記所定の処理を起動する第３の条件、該指示書が登録されたデータボックスにデータが格納されてから該指示書に設定された所定の時間帯になったときに前記所定の処理を起動する第４の条件、該指示書が登録されたデータボックスにデータが格納されてから前記所定の処理を起動しない第５の条件のいずれかを含むことを特徴とする。
【００１２】
また、請求項４の発明は、請求項１乃至３のいずれかの発明において、前記通知手段は、前記データボックスに対するアクセスまたは該データボックスに格納されたデータの処理結果を受信者のファクシミリ番号に対してファクシミリ通知する処理、前記データボックスに対するアクセスまたは該データボックスに格納されたデータの処理結果を受信者のメールアドレスに対してファクシミリ通知する処理、前記データボックスに対するアクセスまたは該データボックスに格納されたデータの処理結果をステータスレポートとして印刷出力する処理、前記データボックスに対するアクセスまたは該データボックスに格納されたデータの処理結果を該データの送信者に対して返信する処理のいずれかを含むことを特徴とする。
【００１３】
また、請求項５の発明は、請求項１乃至４のいずれかの発明において、前記データボックスに対するアクセスまたは該データボックスに格納されたデータの処理ステータスの履歴を記憶するか否かを前記指示書に設定する設定手段と、前記設定手段により前記データボックスに対するアクセスまたは該データボックスに格納されたデータの処理ステータスの履歴を記憶しないと設定されている場合は、前記記憶手段に該データボックスに対するアクセスまたは該データボックスに格納されたデータの処理ステータスの履歴の記憶を禁止する禁止手段とを更に具備することを特徴とする。
【００２３】
【発明の実施の形態】
以下、この発明に係わる通信端末装置の実施の形態を添付図面を参照して詳細に説明する。
【００２４】
なお、この発明に係る通信端末装置の一例として、親展通信機能を有するファクシミリ装置について説明する。
【００２５】
図１は、この発明に係わるファクシミリ装置の全体構成を示すものである。
【００２６】
図１において、ＣＰＵ１は、ファクシミリ装置全体の各種制御処理を行うものであり、ＲＡＭ２は、ＣＰＵ１のワークエリアとして使用される。
【００２７】
なお、ＣＰＵ１が実行する制御処理プログラム、および制御処理プログラムを実行するときに必要な各種データ等は、システム制御部８に記憶されている。
【００２８】
操作表示装置３は、このファクシミリ装置を操作するためのもので、各種の操作キー、および、各種の表示器からなる。また、読取装置４は、所定の解像度で送信原稿画像を読み取るためのものであり、印字装置５は、所定の解像度で画像を記録出力するためのものである。
【００２９】
画像処理装置６は、画信号を符号化圧縮するとともに、符号化圧縮されている画情報を元の画信号に復号化伸張するためのものであり、画像蓄積装置７は、符号化圧縮された状態の画像データを多数記憶し、後述する親展ボックス機能を実現するためのものである。
【００３０】
通信制御部９は、デジタル網に適した通信を制御するためのプログラムを格納したＲＯＭであり、通信制御部１０は、アナログ網に適した通信を制御するためのプログラムを格納したＲＯＭである。また、デジタル網制御装置１１は、デジタル網へ接続するためのもので、アナログ網制御装置１３は、自動発着信機能を有しアナログ公衆網へ接続するためのものである。モデム１２は低速モードと高速モードとを備え、回線切り替え制御装置１５は、複数の外部回線インタフェースと複数の内部通信回路を接続する。
【００３１】
さらに、ＬＡＮ網制御部１６は、例えばＴＣＰ／ＩＰ等のＬＡＮ網に適した通信を制御するためのプログラムを格納したＲＯＭで、ＬＡＮ網接続制御装置１７によってこのファクシミリ装置はＬＡＮ網へ接続される。
【００３２】
上記したこのファクシミリ装置の各構成要素は、それぞれシステムバス１４に接続され、これら各要素間でのデータのやりとりは、主としてこのシステムバス１４を介して行われている。
【００３３】
また、このファクシミリ装置には、その画像蓄積装置７を利用して複数の親展ボックスが設けられており、各々の親展ボックスへの画像データの蓄積などを管理するために、親展ボックステーブルが作成される。
【００３４】
ユーザがこのファクシミリ装置に親展ボックスを開設するときには、「ファクシミリ装置本体の操作表示装置」、「ＬＡＮに接続されたＰＣ等の他の端末装置」、「電話回線により接続された遠隔ファクシミリ装置」といった手段を用いることができる。
【００３５】
また、親展ボックスは複数開設することが可能で、「ファックス受信」、「スキャン蓄積」、「ｅメール受信」といった手段によって親展ボックス毎に画像データを格納することができ、さらに、１つのボックスに対して複数の画像データを格納することができる。
【００３６】
ここで、親展ボックスには、格納された画像データをどのように処理するかを指示する指示書を登録することができ、受信された画像データは、格納された親展ボックスに設定されている指示書に従って処理される。
【００３７】
この指示書には「ＦＡＸ転送」、「ｅメール転送」、「プリント」、「保存のみ」といった複数の処理動作を設定することができ、また、設定した処理動作の起動条件を登録することもできる。
【００３８】
以下に、親展ボックスを開設して指示書を登録する手順と、その設定内容について、例を示す。
【００３９】
１．ユーザは操作表示装置３より「親展ボックス登録」ボタンを押下し、親展ボックス登録画面に入る。
【００４０】
２．開設されていない親展ボックスの番号を入力すると、ボックスの情報を入力するための画面に切り替わり、この親展ボックスの識別情報として「利用者名」および「パスワード」を入力することで、この親展ボックスが開設される。
【００４１】
３．親展ボックス登録画面内の「格納通知登録」ボタンを押下することにより、データ格納時の格納通知の方法を登録する。格納通知方法は、「格納レポート排出」、「格納通知メールの転送」、「格納通知せず」を選択して登録でき、「格納通知メールの転送」が指示された場合は、その転送先をｅメールアドレスで登録する必要がある。この格納通知方法の登録により、ボックスに画像データが格納されたことを受信者または送信者に通知することができる。
【００４２】
４．親展ボックス登録画面内の指示書登録ボタンを押下することにより、指示書の登録を行うことができる。指示書には、まず、画像データの処理動作の登録を行う。この処理動作は、「ＦＡＸ転送」、「ｅメール転送」、「プリント」を選択して登録でき、登録がない場合には保存のみが行われる。特に、処理動作として「ＦＡＸ転送」または「ｅメール転送」が指示された場合は、その転送先をＦＡＸ番号またはｅメールアドレスで登録する必要がある。
【００４３】
５．処理動作を起動させるための条件として、「即起動」、「遅延起動」、「時刻起動」、「時間帯起動」、「起動せず」を選択して登録する。
【００４４】
６．親展ボックス登録画面内の「ステータス記憶」ボタンを押下することによって、親展ボックスへのアクセスまたは格納された画像データの動作ステータスを記憶するか否かを設定する。例えば、親展ボックスの場合、機密文書を扱うこともあるため、その情報を通信ログ等に載せたくない場合、「記憶しない」を選択することでその情報は登録されない。また、「記憶する」が設定された場合、親展ボックスのステータス変化や指示書動作の実行結果を通知することが可能となり、その通知方法や通知条件を、上記手順３および４と同様に登録することができる。通知方法として「ＦＡＸ通知」若しくは「ｅメール通知」が指示された場合は、その通知先をＦＡＸ番号またはｅメールアドレスで登録する必要がある。
【００４５】
７．上記の登録を「ネットワークに接続された他の端末」や「電話回線により接続された遠隔ＦＡＸ」で行う場合、上記の設定パラメータを制御信号として端末機に送信し、端末機側がこれを解読して設定が行われるものとする。
【００４６】
上記の親展ボックス登録手順により設定された指示書は親展ボックステーブルによって管理される。
【００４７】
図２は、この親展ボックステーブルの一例を示したものである。
【００４８】
図２のような設定が行われた場合のファクシミリ装置の動作を以下に説明する。
【００４９】
（ボックス番号１）
画像データが格納されると、ｅメールでその旨が受信者に通知され、画像データは常時保存される。１８時になった時点で保存されていた画像データが一括して受信者にｅメール転送される。格納履歴や親展ボックスのステータス情報は一切登録されない。
【００５０】
（ボックス番号２）
画像データが格納されると、画像データそのものがｅメールにより転送される。なお、その転送先は時間帯により異なり、１７時から８時までは「Fuji-Hanako@jitaku.ne.jp」に、８時から１７時までは「Fuji-Hanako@fujixerox.co.jp」に転送される。また、画像データが格納または転送されたという状態の変化は、ステータス変化として登録され、送信者が当該画像データをこの親展ボックスに送信した手段と同じ手段（ＦＡＸまたはｅメール）で送信者側に通知される。
【００５１】
（ボックス番号ｎ−１）
格納された画像データは、８時から１７時までの間はその都度プリント出力され、その時間帯以外はこの親展ボックスに保存される。また、画像データが格納およびプリント出力された旨のｅメールが、受信者に常時転送される。
【００５２】
図３は、この発明に係る親展ボックス機能を実現するためのソフトウエア構成の一例を示したものである。
【００５３】
開始管理タスクは、指示書が設定されている全ての親展ボックスについて、各々の指示書に設定されている開始条件を走査し、一致した条件に対応する実行タスク群を生成、起動する。
【００５４】
終了管理タスクは、動作が終了した実行タスクの状態を検査し、その終了状態を記録するとともに、終了状態に合わせてステータス通知タスクへの通知や、当該実行タスクの再起動等を行う。
【００５５】
中断管理タスクは、ユーザや指示書更新管理タスク等からの実行タスク中断要求を受け、当該実行タスクに対して中断処理を行うとともに、実行タスクからの応答を監視して、タイムアウト処理を行う。
【００５６】
指示書更新管理タスクは、指示書の設定内容の更新を監視し、更新が行われた場合、中断管理タスクに対して当該実行タスクの中断要求を行う。
【００５７】
ステータス通知タスクは、実行タスク群からステータス変化通知を受け、指示書の設定内容と照らし合わせ、ユーザに対して適正な手段でステータス通知を行う。また、ユーザからのステータス読み出し要求に対してもステータス通知を行う。
【００５８】
実行タスクは、開始管理タスクにより生成され、親展ボックステーブルに設定されている指示書に基づいて、格納画像データに対する処理を実行する。なお、１つまたは複数の実行タスクが同時に処理される。
【００５９】
図４乃至図９は、上記の各タスクの動作の流れを説明するフローチャートである。
【００６０】
図４は、開始管理タスクの動作の流れを示すフローチャートである。
【００６１】
開始管理タスクは、親展ボックステーブルに記載された起動条件および詳細条件を走査し（ステップ１０１）、起動条件および詳細条件が合致したとき（ステップ１０２でＹＥＳ）これに該当する指示書を取得し（ステップ１０３）、起動が可能であれば（ステップ１０６でＹＥＳ）、それに該当する実行タスクを生成・起動する（ステップ１０７）。また、親展ボックステーブルに記載された起動条件および詳細条件が合致しなくても（ステップ１０２でＮＯ）、ユーザが特定の指示書に対して起動を指示した場合（ステップ１０４でＹＥＳ）、指定された指示書を取得し（ステップ１０５）、これに該当する実効タスクを生成・起動する（ステップ１０７）。
【００６２】
図５は、終了管理タスクの動作の流れを示すフローチャートである。
【００６３】
終了管理タスクは、実行タスクから終了通知を受けると（ステップ２０２でＹＥＳ）、終了した実行タスクの終了要因を調べ（ステップ２０３）、その要因に応じて終了処理を行う。正常終了やユーザによる中断の場合は、処理結果を記録し（ステップ２０４）、これを通知する（ステップ２１１）。実行タスクが異常終了した場合は、リトライカウンタが予め定められた上限に達するまで当該実行タスクを再起動する（ステップ２０６でＮＯ）。リトライカウンタが上限に達した場合（ステップ２０６でＹＥＳ）、当該画像データを親展ボックスに保存し（ステップ２０７）、当該実行タスクの処理の失敗理由を、親展ボックス、指示書、処理内容を特定して記憶する（ステップ２０８）。指示書更新が原因で実行タスクが終了している場合には、その旨を記録して（ステップ２０９）、当該実行タスクを再起動する（ステップ２１０）。
【００６４】
図６は、中断処理タスクの動作の流れを示すフローチャートである。
【００６５】
中断管理タスクは、実行タスクに対する中断要求を受け取ると（ステップ３０２でＹＥＳ）、対象となる親展ボックス、指示書、画像データを特定して（ステップ３０３）、当該実行タスクに対して中断処理要求を発行する（ステップ３０４）。なお、実行タスクがハングアップしている等の事態に対応するため、中断までのタイムアウトを検出して（ステップ３０５）中断を監視する（ステップ３０６）。中断が完了したら（ステップ３０６でＹＥＳ）、中断結果を記録して（ステップ３０７）、通知する（ステップ３０９）。実行タスクの中断がタイムアウトした場合（ステップ３０５でＹＥＳ）、その旨を通知する（ステップ３０９）。
【００６６】
図７は、指示書更新管理タスクの動作の流れを示すフローチャートである。
【００６７】
指示書更新管理タスクは、ユーザによる指示書の更新の有無をチェックし（ステップ４０１）、起動中の実行タスクに対応する指示が更新された場合（ステップ４０２でＹＥＳ）、この実行タスクを中断すべく、中断管理タスクに対して中断要求を発行する（ステップ４０３）。
【００６８】
図８は、ステータス通知タスクの動作の流れを示すフローチャートである。
【００６９】
ステータス通知タスクは、実行タスク群のステータス変化を検知し（ステップ５０１）、ステータスに変化があれば（ステップ５０２でＹＥＳ）、当該実行タスクのステータス変化の内容を取得し（ステップ５０３）、対応する指示書に設定されている通知すべきステータス変化と照らし合わせて（ステップ５０４）、当該ステータス変化の内容と指示書に設定されている通知すべきステータス変化とが一致した場合、若しくはユーザからのステータス通知要求があった場合（ステップ５０５）、実行タスクのステータスを通知する（ステップ５０６）。
【００７０】
図９は、実行タスクの動作の流れを示すフローチャートである。
【００７１】
実行タスクは、開始管理タスクによって生成・起動され、指示書に基づいた実際の処理（転送、蓄積等）を行う（ステップ６０１）。処理の過程でステータス変化が起きた場合（ステップ６０２でＹＥＳ）、状態通知タスクへその変化内容を通知する（ステップ６０５）。なお、当該ステータス変化が、親展ボックステーブルに記録対象のステータス変化として設定されている場合（ステップ６０３でＹＥＳ）、これを記録する（ステップ６９４）。指示書に基づく全処理が終了した場合（ステップ６０７でＹＥＳ）は終了処理（ステップ６０８）を行ない、中断要求が検出された場合（ステップ６０６でＹＥＳ）は中断処理（ステップ６０９）を行ない、処理終了に伴うステータス変化を状態通知タスクへ、終了結果若しくは中断結果を終了管理タスクへ通知して（ステップ６０１）、自身は消滅する。
【００７２】
なお、この発明は、上記のファクシミリ装置に限ったものではなく、親展通信機能を有する通信端末装置、通信システム、メールボックス装置、メールサーバ等にも応用できる。例えば、近年、インターネットを利用したインターネットファクシミリ装置が見うけられるが、このような装置においてもこの発明を応用することができる。
【００７３】
【発明の効果】
以上説明したように、この発明によれば、
（１）予め想定される処理内容を親展ボックスに登録しておき、処理対象となる画像データが親展ボックスに格納されるだけで自動的に任意の処理を実行することができるので、格納された画像データを取り出すためのユーザの手間が省ける、
（２）送信者および受信者が、受信画像データの処理ステータスを素早く確認することができる、
（３）処理を実行するための条件を定義しておくことで、ユーザの都合や実用性に合わせた条件処理が容易に行える、
という効果を奏する。
【図面の簡単な説明】
【図１】この発明に係るファクシミリ装置の構成図である。
【図２】この発明に係る親展ボックステーブルの一例を示す図である。
【図３】この発明に係る親展通信機能を実現するためのソフトウエア構成の一例を示す図である。
【図４】開始管理タスクの動作の流れを説明するフローチャートである。
【図５】終了管理タスクの動作の流れを説明するフローチャートである。
【図６】中断管理タスクの動作の流れを説明するフローチャートである。
【図７】指示書更新管理タスクの動作の流れを説明するフローチャートである。
【図８】状態通知タスクの動作の流れを説明するフローチャートである。
【図９】実行タスクの動作の流れを説明するフローチャートである。
【符号の説明】
１    ＣＰＵ
２    ＲＡＭ
３    操作表示装置
４    読取装置
５    印字装置
６    画像処理装置
７    画像蓄積装置
８    システム制御部
９    通信制御部
１０    通信制御部
１１    デジタル網制御装置
１２    モデム
１３    アナログ網制御装置
１４    システムバス
１５    制御装置
１６    網制御部
１７    網接続制御装置
【図１】
0003951588.tif 000002
【図２】
0003951588.tif 000003
【図３】
0003951588.tif 000004
【図４】
0003951588.tif 000005
【図５】
0003951588.tif 000006
【図６】
0003951588.tif 000007
【図７】
0003951588.tif 000008
【図８】
0003951588.tif 000009
【図９】
0003951588.tif 000010